(57)【特許請求の範囲】
【請求項１】
空気調和装置の室外機を冷却する室外機用冷却装置において、貯水タンクからの水を噴霧する噴霧ノズルを前記室外機の空気吸い込み側に、且つ、噴霧方向が空気吸い込み方向とほぼ直交するように配置し、且つ、前記室外機とほぼ平行に設置された筒体内部に噴霧するように配置し、前記筒体には前記室外機に向けて複数の吹出開口が設けられ、前記貯水タンク内の雨水を循環させながら浄化する浄化装置を設け、オゾンで浄化された雨水を前記噴霧ノズルに供給し、前記噴霧ノズルから噴霧された霧状の水は前記筒体内部に流入し気化しながら前記吹出開口を通って吸い込み空気と一緒に前記室外機に流入することを特徴とする室外機用冷却装置。
【請求項２】
前記噴霧ノズルを噴霧水と加圧空気が供給される２流体式噴霧ノズルで構成したことを特徴とする請求項１に記載の室外機用冷却装置。
【請求項３】
前記加圧空気にオゾンが含まれるようにしたことを特徴とする請求項２に記載の室外機用冷却装置。
【発明の詳細な説明】
【技術分野】
【０００１】
本発明は、空気調和装置の室外機を冷却する室外機用冷却装置に関する。
【背景技術】
【０００２】
この種の室外機用冷却装置として、空気調和機の室外機に散水器を設け、この散水器から室外機の熱交換器に水を散水してこの熱交換器を冷却することにより凝縮圧力を低下させ、消費電力を低下させるようにしたものが提案されている（特許文献１参照）。
【先行技術文献】
【特許文献】
【０００３】
【特許文献１】特開平５−２２３３６４号公報
【発明の概要】
【発明が解決しようとする課題】
【０００４】
しかしながら、この室外機用冷却装置では室外機の熱交換器に直接水をかけて冷却するようにしているので、冷却効率が悪く、水を多量に使用する問題があった。
【０００５】
そこで本発明は、前述した問題点に鑑み、水の使用量を極力抑えつつ、効率良く空気調和機の室外機の熱交換器を冷却できるようにすることを目的とする。
【課題を解決するための手段】
【００１１】
このため第１の発明は、空気調和装置の室外機を冷却する室外機用冷却装置において、貯水タンクからの水を噴霧する噴霧ノズルを前記室外機の空気吸い込み側に、且つ、噴霧方向が空気吸い込み方向とほぼ直交するように配置し、且つ、前記室外機とほぼ平行に設置された筒体内部に噴霧するように配置し、前記筒体には前記室外機に向けて複数の吹出開口が設けられ、前記貯水タンク内の雨水を循環させながら浄化する浄化装置を設け、オゾンで浄化された雨水を前記噴霧ノズルに供給し、前記噴霧ノズルから噴霧された霧状の水は前記筒体内部に流入し気化しながら前記吹出開口を通って吸い込み空気と一緒に前記室外機に流入することを特徴とする。
【００１２】
第２の発明は、第１の発明において、前記噴霧ノズルを噴霧水と加圧空気が供給される２流体式噴霧ノズルで構成したことを特徴とする。
【００１３】
第３の発明は、第２の発明において、前記加圧空気にオゾンが含まれるようにしたことを特徴とする。
【発明の効果】
【００１８】
第１の発明によれば、噴霧ノズルから噴霧された霧状の水は室外機とほぼ平行に設置された筒体内部に流入し、ここで気化しながら複数の吹出開口を通って吸い込み空気と一緒に室外機に流入するので、室外機内部の熱交換器は水の気化潜熱で温度の下がった吸い込み空気で効率良く冷却され、水の使用量も少なくて済む。また、噴霧ノズルから噴霧される水にオゾンで浄化された雨水が使用されるので、水道水を極力使用しないで、経済的で、且つ室外機を衛生的に冷却することができる。
【００２０】
第２の発明によれば、噴霧ノズルから噴霧される霧状の水を加圧空気によって勢いよく噴出させ、噴霧方向が風の影響を受けないようにでき、確実に室外機に向けることができる。
【００２１】
第３の発明によれば、加圧空気にオゾンが含まれるようにしたので、貯水タンクの雨水を水浄化装置で浄化する方式に比べ、より少ないオゾン量で噴霧ノズルから噴霧される雨水を浄化することができる。
【図面の簡単な説明】
【００２２】
【図１】本発明の実施の形態の説明に適用される室外機用冷却装置の概略構成説明図    である。
【図２】室外機の正面図である。
【図３】室外機の裏面図である。
【図４】参考例の噴霧ノズルの噴霧方向を示すための室外機などの横断平面図である。
【図５】参考例の一対の噴霧ノズルの噴霧方向を示すための室外機などの横断平面図    である。
【図６】参考例の他の噴霧ノズルの噴霧方向を示すための室外機などの横断平面図で    ある。
【図７】図６の噴霧方向を側面から示す説明図である。
【図８】参考例の他の噴霧ノズルの噴霧方向を示すための室外機などの横断平面図で    ある。
【図９】図８の噴霧方向を側面から示す説明図である。
【図１０】本発明の実施の形態の他の噴霧ノズルの噴霧方向を示すための室外機など    の横断平面図である。
【図１１】図１０の噴霧方向を側面から示す説明図である。
【図１２】本発明の実施の形態の説明に適用される室外機用冷却装置の他の例を示す    概略構成説明図である。
【発明を実施するための形態】
【００２３】
以下、例えば店舗に設置される低温ショーケースや店舗内の空調をするための空気調和装置などの空気調和装置の室外機を冷却する室外機用冷却装置に係る本発明を実施するための最良の形態について、図１乃至図１２を参照しながら説明する。
【００２４】
図１において、１は貯水タンクで、建物に設置される雨樋２からの雨水が集められて連通管３を介して貯水すると共に給水装置としての水道管４、電磁弁５を介して水道水が供給可能とされる。なお、貯水タンク１は、黒色のポリエチレン樹脂から構成され、三層構造として光の進入を遮断している。これにより、光合成で藻が発生することを防ぐことができる。
【００２５】
１１は水浄化装置で、貯水タンク１から取出し管１２を介して取出した雨水等を浄化し、この浄化した水を戻り管１３を介して貯水タンク１に戻せるように、水浄化装置１１は貯水タンク１に対して並列接続され、環状の循環経路が形成される。この水浄化装置１１は、水流路中に循環ポンプ１６、フィルター１７、インジェクター（マイクロバブル発生器など）１８が順に配設される。そして、循環ポンプ１６の駆動により、インジェクター１８と共にオゾン発生装置を構成するオゾナイザ（オゾン発生器）１９において発生されたオゾン（気体）がインジェクター１８を介して循環経路に導入されることとなる。
【００２６】
なお、フィルター１７は粒状活性炭、イオン交換樹脂からなり、吸着と濾過機能を有しており、雨水には空気中の硫黄酸化物（ＳＯＸ）や窒素酸化物（ＮＯＸ）などの種々の酸化物等、塩化物（ＮａＣｌ、ＣａＣｌ２、ＭｇＣｌ２）、ミネラル（Ｃａ、Ｍｇ）等が溶解しているが、このフィルター１７がこれらを除去し、また循環経路に導入されたオゾンは貯水タンク１内の雨水等の中のレジオネラ菌等を死滅（除菌）させて、繁殖しないように抑制する。
【００２７】
２２は空気調和装置の室外機２３内の後述する熱交換器を冷却するための噴霧機としての二流体式噴霧ノズルで、貯水タンク１から取出し管２１を介して取出し送水ポンプ２４により供給された水とエアブロワー２０で加圧される空気とを混合して霧状に噴霧する。このように、本実施形態にあっては、二流体式噴霧ノズル２２を使用することにより、加圧空気によって勢いよく噴出させ、噴霧方向が風の影響を受けないようにして、確実に室外機２３、即ち室外機２３裏面の空気吸い込み口３１に向けることができる。
【００２８】
なお、一流体式噴霧ノズルでは、風の影響を受け易いので、確実に水の気化潜熱で温度の下がった吸い込み空気（冷気）を室外機２３裏面の空気吸い込み口３１に向けることができない場合も起こるが、室外機２３の設置場所が風の影響を受けないような場所であれば、使用しても問題ないものと解される。
【００２９】
また、貯水タンク１の底部には排水バルブ２６が取り付けられたドレン管２７が接続され、排水バルブ２６を開くことにより貯水タンク１の水抜きが行えるようにしてあると共に、貯水タンク１の上部にはオーバーフロー管２８が接続され、貯水タンク１に大量の雨水が貯まったときに雨水等をこのオーバーフロー管２８から排水溝２９へ排出させるようにしている。
【００３０】
貯水タンク１には、水位を検出する上下２つの水位センサー７Ａ、７Ｂが設けられている。水位センサー７Ａは雨の降らない渇水時には電磁弁５を開閉して水道水を補給し、貯水タンク１の水位をＬ２レベル以上に維持するためのものであり、水位センサー７Ｂは何らかの原因で貯水タンク1の水位がＬ1以下に低下した場合に送水ポンプ２４が運転しないようにし、送水ポンプ２４の空運転を防止するためのものである。また、循環ポンプ１６には圧力スイッチＰＳ１が設けられている。
【００３１】
圧力スイッチＰＳ１はフィルター１７の目詰まりを検出するためのものであり、フィルター１７が目詰まりして循環ポンプ１６の圧力が上昇するとフィルター清掃ＬＥＤ（図示せず）を点灯させ、フィルター１７の清掃を促すものである。
【００３２】
空気調和装置の室外機２３は図２乃至図４に示すように、概ね直方体形状を呈し、正面に空気吹き出し口３０があり、裏面と右側面に空気吸い込み口３１がある。また、室外機２３の内部にはＬ型の熱交換器３２と、プロペラ式の送風ファン３３と、冷媒を圧縮するコンプレッサ３４が設けられている。そして、前記送風ファン３３に対峙する熱交換器３２の長手方向の部位にあっては、空気吸い込み口３１から吸い込まれた室外空気が通過し易いように、熱交換フィンが平行に配設されている。従って、送風ファン３３の運転により空気吸い込み口３１から吸い込まれた室外空気が熱交換器３２を通り、ここで熱交換器３２を流れる冷媒と熱交換された後、空気吹き出し口３０から外方に排出される。
【００３３】
参考例の図４に示すように、室外機２３は空気吸い込み口３１を備えたその裏面が建物の壁３５とほぼ平行に設置され、即ち室外機２３は建物の壁３５と空気吸い込み口３１との間に間隔をとって建物の壁３５と空気吸い込み口３１を有するその裏面がほぼ平行に設置されていることが多い。そして、噴霧ノズル２２は室外機２３裏面の空気吸い込み口３１側に、且つ、噴霧方向が空気吸い込み方向とほぼ直交するように配置してある。なお、噴霧方向が空気吸い込み方向とほぼ直交するように配置するものであるから、正面から見て室外機２３の左右方向のいずれでもよく、また上方向から下方向に向けて噴霧してもよく、前記噴霧ノズル２２を上下に平行に複数配置してもよい。
【００３４】
上述した室外機用冷却装置では、水浄化装置１１の循環ポンプ１６を駆動し、オゾナイザ１９で発生させたオゾンをインジェクター１８を介して循環経路に導入しながら、貯水タンク１の雨水等を水浄化装置１１に取出し管１２及び戻り管１３を介して循環させることにより浄化することができる。そして、貯水タンク１の浄化された水は送水ポンプ２４の運転により噴霧ノズル２２に供給され、またエアブロワー２０で加圧されて空気も供給され、噴霧ノズル２２は両者を混合して霧状に噴霧することにより、室外機に直接水をかけて冷却するより水の使用量が少なく、熱交換器３２での熱交換が効率良く行われるようにし、凝縮圧力を低下させ、消費電力を低下させるようにしてある。
【００３５】
すなわち、噴霧機２０の噴霧ノズル２２は室外機２３裏面の空気吸い込み口３１側に、且つ、噴霧方向が空気吸い込み方向とほぼ直交するように配置してあるので、噴霧ノズル２２から噴霧された霧状の水は室外機２３に吸い込まれる空気とほぼ９０度（８０度以上〜１１０度以下の範囲内、好ましくは８５度以上〜９５度以下の範囲内）の角度でぶつかり、気化しながら吸い込み空気と一緒に室外機２３に流入するので、室外機２３内部の熱交換器３２は水の気化潜熱で温度の下がった吸い込み空気（冷気）によって効率良く冷却され、単に水を散水するのに比べ、雨水等の使用量も少なくて済む。
【００３６】
参考例の、図５に示すように、一対以上の噴霧ノズル２２、２２を室外機２３裏面の空気吸い込み口３１側に、且つ、左右に対峙（対向）するように配置し、噴霧ノズル２２、２２から噴霧された霧状の水を互いに衝突させ、気化させながら吸い込み空気と一緒に室外機２３に流入させることにより、室外機２３内部の熱交換器３２を水の気化潜熱で温度の下がった吸い込み空気で、更に効率良く冷却できるとともに、単に水を散水するのに比べ、雨水等の使用量も少なくて済む。
【００３７】
また、参考例の、図６及び図７に示すように、噴霧ノズル２２を室外機２３裏面の空気吸い込み口３１側に、且つ、室外機３１裏面とほぼ平行に設置された壁３５に噴霧するように配置することにより、噴霧ノズル２２から噴霧された霧状の水は室外機２３裏面にほぼ平行に設置された壁３５にぶつかり気化しながら吸い込み空気と一緒に室外機２３に流入するので、室外機２３内部の熱交換器３２は水の気化潜熱で温度の下がった吸い込み空気によって効率良く冷却され、単に水を散水するのに比べ、雨水等の使用量も少なくて済む。
【００３８】
また、参考例の、図８及び図９に示すように、噴霧ノズル２２を室外機２３裏面の空気吸い込み口３１側に、且つ、壁３５に沿って室外機２３裏面とほぼ平行に設置された吸水性の良好なマット３６に噴霧するように配置することにより、噴霧ノズル２２から噴霧された霧状の水は室外機２３裏面とほぼ平行に設置された吸水性の良好なマット３６に吸水され、ここで気化しながら吸い込み空気と一緒に室外機２３に流入するので、室外機２３内部の熱交換器３２は水の気化潜熱で温度の下がった吸い込み空気で効率良く冷却され、単に水を散水するのに比べ、雨水等の使用量も少なくて済む。
【００３９】
また、図１０及び図１１に示すように、噴霧ノズル２２を室外機２３裏面の空気吸い込み口３１側に、且つ、室外機２３裏面とほぼ平行に設置された筒体３７内部に噴霧するように配置する。この場合、筒体３７と離れて噴霧ノズル２２を配設してもよいし、筒体３７内に噴霧ノズル２２を挿入配設してもよい。
【００４０】
そして、前記筒体３７は噴霧ノズル２２側は開口してあるが、その反対側は閉塞され、周側面には室外機２３裏面の空気吸い込み口３１に向けて複数の吹出開口３８を設けることにより、噴霧ノズル２２から噴霧された霧状の水は室外機２３裏面とほぼ平行に設置された筒体３７内部に流入し、ここで気化しながら複数の吹出開口３８を介して吸い込み空気と一緒に広い範囲に亘って室外機２３に流入するので、室外機２３内部の熱交換器３２は水の気化潜熱で温度の下がった吸い込み空気で効率良く冷却され、単に水を散水するのに比べ、雨水等の使用量も少なくて済む。
【００４１】
上述した実施態様では、貯水タンク１の雨水を水浄化装置１１に循環してオゾンで浄化し、貯水タンク１の浄化された雨水等を噴霧ノズル２２から噴霧されるようにしたので、水道水を極力使用しないで、経済的で、且つ衛生的に室外機２３を冷却できる利点があるが、図１２に示すように、水浄化装置１１を使用する代わりに、エアブロワー２０で加圧される空気にオゾナイザ（オゾン発生器）４０によってオゾンを含ませ、雨水を浄化するようにしても良い。
【００４２】
この場合、貯水タンク１の雨水を水浄化装置１１で浄化する方式に比べ、加圧空気にオゾンを含ませる方がより少ないオゾン量で噴霧ノズル２２から噴霧される雨水を浄化することができ、オゾナイザ（オゾン発生器）４０も小型なもので足りる。
【００４３】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００４４】
１          貯水タンク
１１        水浄化装置
１９        オゾナイザ（オゾン発生器）
２０        噴霧機
２２        噴霧ノズル
２３        室外機
３１        空気吸い込み口
３２        熱交換器
３５        壁
３６        マット
３７        筒体
３８        吹出開口
４０        オゾナイザ（オゾン発生器）
【図１】
0005606706.tif 000002
【図２】
0005606706.tif 000003
【図３】
0005606706.tif 000004
【図４】
0005606706.tif 000005
【図５】
0005606706.tif 000006
【図６】
0005606706.tif 000007
【図７】
0005606706.tif 000008
【図８】
0005606706.tif 000009
【図９】
0005606706.tif 000010
【図１０】
0005606706.tif 000011
【図１１】
0005606706.tif 000012
【図１２】
0005606706.tif 000013